(57)【要約】【課題】  特定入賞口及び第３種始動口への遊技球の打ち分け等の遊技者への特定の遊技方法を強いることを無くすことや、盤面の構成をシンプルで遊技が理解しやすくすることにより遊技者の不満を無くし、これによって遊技者のパチンコ遊技本来の満足感が満たされ、パチンコホールに利益をもたらすことができること。【解決手段】  振分装置１２の通過センサ１２ｂで遊技球の通過が検出された際に抽選が行われるようにし、権利非発生中にその抽選が当たった場合は、回転部１２ｅを時計回りに回転させて凹部１２ｆの遊技球を特定入賞口１２ｃへ案内し、権利非発生中に抽選が外れた場合は、回転部１２ｅを反時計回りに回転させて凹部１２ｆの遊技球を大入賞口開放用始動口１２ｄへ案内して入賞させるようにした。【選択図】      図１
2005185772.tif 000002
【特許請求の範囲】
【請求項１】
遊技球が通過した際に所定の権利を発生及び消滅の何れか一方の状態とするための特定入賞口と、権利の発生状態にて遊技球が通過した際に他の入賞口を予め定められた条件に応じて開放させるための始動口とを有するパチンコ機において、
遊技球を導入する少なくとも１つの入口を形成し、この入口に遊技球の通過を検出する通過センサを設け、前記入口よりも下方位置に前記特定入賞口及び前記始動口を設け、前記入口から入った遊技球を前記特定入賞口及び前記始動口の何れか一方へ案内して通過させる案内手段が設けられてなる振分手段と、
前記通過センサで遊技球の通過が検出されたことに基づき抽選を行う抽選手段と、
権利非発生中に前記抽選手段による抽選が当たった場合に前記案内手段が前記入口からの遊技球を前記特定入賞口へ案内して通過させ、権利非発生中に前記抽選手段による抽選が外れた場合に前記案内手段が入口からの遊技球を前記始動口へ案内して通過させ、権利発生中は前記案内手段が入口からの遊技球を強制的に前記始動口へ案内するように制御する制御手段と
を備えたことを特徴とするパチンコ機。
【発明の詳細な説明】
【技術分野】
【０００１】
本発明は、遊技盤に配設された特定入賞口へ遊技球（単に、球と称することも有る）が入賞した際に大当たりとするための権利が発生し、この権利発生時に第３種始動口に球が入賞することによって大入賞口が開放する権利行使状態となる権利物（第３種）と称されるパチンコ機及び類似機能を持つパチンコ機に関する。
【背景技術】
【０００２】
従来の第３種のパチンコ機として、特許文献１及び２に記載のものがある。
特許文献１の弾球遊技機（パチンコ機）は、図７に示すように、遊技盤１００のレールで区画された遊技領域ＰＡに、図柄表示装置１１１と、４個の保留玉ランプ１１２と、図柄始動口１１３と、振分装置１１４と、振分装置１４を収納する収納枠１１５と、特定入賞口１１６と、外れ入賞口１１７及び大入賞口１１８とを備えて構成されている。
【０００３】
この特許文献１の特徴要素である振分装置１１４は、時計回り及び反時計回りで回動可能であり、かつ、玉一つ収納可能な収納穴１１４ａを有する。そして、玉の径よりやや大きい幅の開口部１１５ａに玉が入ると、収納穴１１４ａが回動により開口部１１５ａに到達するまでその位置で待機し、収納穴１１４ａが開口部１１５ａのほぼ直下に位置したとき、玉が収納穴１１４ａに落下する。収容枠１１５により玉は収納穴１１４ａ内に維持されつつ、収納穴１１４ａが特定入賞口１１６又は外れ入賞口１１７のいずれかの真上の位置にきたとき、夫々、特定入賞口１１６又は外れ入賞口１１７へ落下するようになされている。更に、遊技条件が成立し、特定入賞口１１６へ遊技球が振り分けられると権利発生状態となり、その権利発生中に始動通過ゲート（第３種始動ゲート）１１９を遊技球が通過すると、大入賞口１１８を開放する。
【０００４】
特許文献２のパチンコ機は、図８に示すように、入口１４４と、この入口１４４から離隔して位置する始動入賞口（第３種始動口）１４８を設けた本体及び入口１４４に導かれた遊技球を保持する保持部１４７を有して駆動体１４５で、予め設定された回転速度で回転する回転体１４６をそれぞれ備えた始動入賞装置１４０と、図示せぬ特定入賞口に遊技球が入賞したとき権利状態中を維持し、その権利状態中に遊技球が始動入賞装置１４０の始動入賞口１４８に入賞した毎に、これを検出して所定時間若しくは遊技球が所定個数だけ入賞する間、図示せぬ扉を開放する変動入賞装置とを具備し、権利状態中に変動入賞装置の扉が閉止しているとき、遊技球１５５が始動入賞口１４８に入賞するまで、回転体１４６の回転速度を予め設定された回転速度より増大するようになされている。
【特許文献１】特開２００３−９３６５６号公報
【特許文献２】特開平６−３１９８５３号公報
【発明の開示】
【発明が解決しようとする課題】
【０００５】
しかし、従来の権利物（第３種）と称される上記特許文献１及び２のものも含むパチンコ機においては、特定入賞口と第３種始動口（又は第３種始動ゲート）とが離れた位置に配置されており、特定入賞口への遊技球入賞によって権利発生中に、第３種始動口への遊技球入賞により大入賞口が開放する権利行使状態となるが、権利発生中に特定入賞口に球が入ると権利が消滅するので、大入賞口が開放されなくなる。
【０００６】
このため、遊技者は、権利非発生中には特定入賞口を狙って打ち、特定入賞口に球が入って権利発生状態となると、特定入賞口に球が入らず第３種始動口に球が入るように狙って打つことになる。つまり、遊技者に特定の遊技方法を強いることになるので、遊技者に不満が生じて遊技離れに転じ、パチンコホールにとって不利益が生じるという問題がある。
【０００７】
また、第３種始動口と特定入賞口とが別体に構成されているので、製造コストが高くなると共に、盤面上の構成が複雑となって遊技者に遊技が理解しづらいという問題がある。
本発明は、このような課題に鑑みてなされたものであり、特定入賞口及び第３種始動口への遊技球の打ち分け等の遊技者への特定の遊技方法を強いることを無くすことや、盤面の構成をシンプルで遊技が理解しやすくすることにより遊技者の不満を無くし、これによって遊技者のパチンコ遊技本来の満足感が満たされ、パチンコホールに利益をもたらすことができるパチンコ機を提供することを目的としている。
【課題を解決するための手段】
【０００８】
上記目的を達成するために、本発明の請求項１によるパチンコ機は、遊技球が通過した際に所定の権利を発生及び消滅の何れか一方の状態とするための特定入賞口と、権利の発生状態にて遊技球が通過した際に他の入賞口を予め定められた条件に応じて開放させるための始動口とを有するパチンコ機において、遊技球を導入する少なくとも１つの入口を形成し、この入口に遊技球の通過を検出する通過センサを設け、前記入口よりも下方位置に前記特定入賞口及び前記始動口を設け、前記入口から入った遊技球を前記特定入賞口及び前記始動口の何れか一方へ案内して通過させる案内手段が設けられてなる振分手段と、前記通過センサで遊技球の通過が検出されたことに基づき抽選を行う抽選手段と、権利非発生中に前記抽選手段による抽選が当たった場合に前記案内手段が前記入口からの遊技球を前記特定入賞口へ案内して通過させ、権利非発生中に前記抽選手段による抽選が外れた場合に前記案内手段が入口からの遊技球を前記始動口へ案内して通過させ、権利発生中は前記案内手段が入口からの遊技球を強制的に前記始動口へ案内するように制御する制御手段とを備えたことを特徴としている。
【０００９】
この構成によれば、少なくとも１つの入口から入った球を、通過センサの検出結果に応じて特定入賞口及び他の入賞口開放用の始動口の何れかに入賞させることが可能なように構成されているので、遊技者は権利非発生状態や権利発生状態に係わらず、１つの入口を狙って打てばよい。即ち、従来のように、各々が離れて配設された特定入賞口及び始動口の何れかに、球を狙い打ちするといった特定の遊技方法を遊技者に強いることがなくなる。また、第３種始動口と特定入賞口とが一体に構成されているので、別体に構成した場合よりも製造コストを安価とすることができ、更に盤面上の構成がシンプルとなるので遊技者に遊技が理解し易くなる。
【発明の効果】
【００１０】
以上説明したように本発明によれば、特定入賞口及び第３種始動口への遊技球の打ち分け等の遊技者への特定の遊技方法を強いることを無くすことや、盤面の構成をシンプルで遊技が理解しやすくすることにより遊技者の不満を無くし、これによって遊技者のパチンコ遊技本来の満足感が満たされ、パチンコホールに利益をもたらすことができるという効果がある。
【発明を実施するための最良の形態】
【００１１】
以下、本発明の実施の形態を、図面を参照して説明する。但し、本明細書中の全図において相互に対応する部分には同一符号を付し、重複部分においては後述での説明を適時省略する。
（実施の形態）
図１は、本発明の実施の形態に係るパチンコ機の遊技盤の構成を示す正面図である。
この図１に示すパチンコ機は、遊技盤１１のほぼ中央部に、本実施の形態の特徴要素である振分装置（振分手段）１２が配設され、この振分装置１２の上方に数字やキャラクタによる図柄を変動表示する図柄表示装置１３が配設され、下方に大入賞口１４が配設されている。
【００１２】
振分装置１２は、正面形状が円形状の枠体１２ａの最上部に遊技球が入る開口（入口）１２ｐが形成され、この開口１２ｐの周囲に通過センサ１２ｂが設けられ、また、枠体１２ａの斜め下方の左右対称位置に特定入賞口１２ｃ及び大入賞口開放用始動口１２ｄが設けられ、更に、枠体１２ａの内周に時計回り／反時計回りに回転自在な回転部（案内手段）１２ｅが設けられて構成されている。但し、特定入賞口１２ｃ及び大入賞口開放用始動口１２ｄは、入賞口のみならず、通過ゲートである場合も含んだ名称、機能である。
【００１３】
また、回転部１２ｅの外周には、遊技球を保留する凹部１２ｆが形成されており、図２（ａ）に示すように、凹部１２ｆが最上部に位置する際に通過センサ１２ｂの入口から遊技球が入ると、その凹部１２ｆに遊技球が保留するように構成されている。
そして、図２（ｂ）に示すように、回転部１２ｅが時計回りに回転すると保留した球が特定入賞口１２ｃを通過し、図２（ｃ）に示すように、反時計回りに回転すると保留した球が大入賞口開放用始動口１２ｄを通過するようになされている。
【００１４】
なお、振分装置１２は、図３に示すように、通過センサ１２ｂの部分に電動チューリップ１２ｉを取り付け、遊技球がより入り易いように構成してもよい。符号１３は釘を示している。更に、通過センサ１２ｂと対となる入口は、２つ以上設けてあっても良い。
また、本パチンコ機は機内に、図４に示すように、パチンコ遊技を制御する遊技制御部１６を備え、この遊技制御部１６に、通過センサ１２ｂと、大入賞口開放用始動口センサ１２ｄ１と、特定入賞口センサ１２ｃ１と、大入賞口入賞センサ１４ａと、図柄表示装置１３と、大入賞口ソレノイド１４ｂと、振分装置のステッピングモータ１２ｇと、振分装置の原点センサ１２ｈとが接続されている。
【００１５】
また、遊技制御部１６は、センサ検出状態判定部２１と、権利判定部２３と、抽選部（抽選手段）２５と、抽選結果判定部２７と、表示制御部２９と、大入賞口開閉制御部３１と、回転制御部（制御手段）３３とを備えて構成されている。
これら各要素２１〜３３と、上記の各センサ１２ｂ，１２ｄ１，１２ｃ１，１４ａ，１２ｈと、図柄表示装置１３、大入賞口ソレノイド１４ｂ及びステッピングモータ１２ｇとは、遊技制御部１６内において電気的に接続されている。
【００１６】
次に、これらの構成要素の説明を行う。
センサ検出状態判定部２１は、各センサ１２ｂ，１２ｄ１，１２ｃ１，１４ａ，１２ｈの検出状態を判定するものである。
権利判定部２３は、大当たりの権利発生状態を管理して判定する。権利非発生状態において特定入賞口１２ｃへの遊技球の通過を検出すると権利発生状態とする。権利発生状態において特定入賞口１２ｃへの遊技球の通過を検出するか、規定権利回数（例えば１６回）権利が消化されるかの何れかが成立したとき権利非発生状態とする。この状態管理に基づき現在権利発生状態か、権利非発生状態（権利消滅状態）かを判定する。
【００１７】
抽選部２５は、通過センサ１２ｂで遊技球の通過が検出された際に乱数抽選を行うものである。
抽選結果判定部２７は、抽選部２５での抽選結果が当たりか否かを判定するものである。
表示制御部２９は、図柄表示装置１３への図柄表示の制御を行うものであり、抽選結果判定部２７で判定される抽選結果に応じて図柄を変動表示したり、当たり又は外れ図柄を表示したりする制御を行うようになっている。
【００１８】
大入賞口開閉制御部３１は、大入賞口開放用始動口センサ１２ｄ１で大入賞口開放用始動口１２ｄへの遊技球の通過検出が行われた場合に、権利判定部２３で権利発生中と判定されていれば、大入賞口１４の開放を、予め定められた時間が経過するまで、又は、予め定められた個数の遊技球が入賞するまで行う。また、権利発生中でない権利消滅状態の場合は、大入賞口１４の開放は行わないようになっている。
【００１９】
回転制御部３３は、権利非発生中に乱数抽選が当たると、ステッピングモータ１２ｇを回転させることによって振分装置１２の回転部１２ｅを時計回りに１回転する制御を行い、また、権利非発生中に乱数抽選が外れると、回転部１２ｅを反時計回りに１回転する制御を行うものである。
また、回転制御部３３は、原点センサ１２ｈで回転部１２ｅの凹部１２ｆが真上に来た状態の原点がずれていた場合に、そのずれを補正する回転制御を行うようになっている。
【００２０】
このような構成のパチンコ機による特定入賞口１２ｃ及び大入賞口開放用始動口１２ｄへの遊技球の振り分け処理の動作を、図５に示すフローチャートを参照して説明する。
まず、ステップＳ１において、通過センサ１２ｂで遊技球の通過が検出されたか否かがセンサ検出状態判定部２１にて判定される。この結果、通過検出と判定された場合は、ステップＳ２において、権利判定部２３にて、現在、権利発生中か否かが判定される。
【００２１】
この結果、権利発生中でなければ、ステップＳ３において、抽選部２５にて乱数抽選が行われ、ステップＳ４において、抽選結果判定部２７にてその抽選結果が当たりか否かが判定される。この結果が外れの場合は、ステップＳ５において、表示制御部２９の制御によって図柄表示装置１３に図柄変動の表示が行われた後、外れ図柄の表示が行われる。
そして、ステップＳ６において、回転制御部３３の制御によって振分装置１２の回転部１２ｅが反時計回りに１回転される。この途中で、凹部１２ｆに保留された遊技球が大入賞口開放用始動口１２ｄにを通過する。これによって、権利発生中でないため、大入賞口開閉制御部３１による大入賞口１４の開放は行われない。この場合は単なる入賞となって図示せぬ上皿へ所定数の球が賞球される。
【００２２】
即ち、図６に示すステップＳ１１において、大入賞口開放用始動口センサ１２ｄ１による大入賞口開放用始動口１２ｄへの通過（入賞）検出有りとセンサ検出状態判定部２１にて判定され、この際、ステップＳ１２の権利判定部２３による判定においては、権利発生中でないと判定されるため、上記ステップＳ１１に戻る。
一方、上記ステップＳ４の抽選結果が当たりの場合は、ステップＳ７において、表示制御部２９の制御によって図柄表示装置１３に図柄変動の表示が行われた後、当たり図柄の表示が行われる。
【００２３】
そして、ステップＳ８において、回転制御部３３の制御によって振分装置１２の回転部１２ｅが時計回りに１回転される。この途中で、凹部１２ｆに保留された遊技球が特定入賞口１２ｃに入賞する。この時点で権利発生状態となる。
従って、次にステップＳ１において、センサ検出状態判定部２１にて通過検出と判定された場合は、ステップＳ２において、権利判定部２３にて、現在、権利発生中と判定される。
【００２４】
この権利発生中では、ステップＳ３による抽選を経ず強制的にステップＳ５へ移行する。ステップＳ５において、図柄変動の表示が行われた後、外れ図柄の表示が行われ、ステップＳ６において、振分装置１２の回転部１２ｅが反時計回りに１回転され、この途中で、凹部１２ｆに保留された遊技球が大入賞口開放用始動口１２ｄに入賞する。この入賞では、権利発生中のため、大入賞口開閉制御部３１による大入賞口１４の開放が行われる。
【００２５】
即ち、ステップＳ１１において、大入賞口開放用始動口センサ１２ｄ１による大入賞口開放用始動口１２ｄへの入賞検出有りとセンサ検出状態判定部２１にて判定され、この際、ステップＳ１２の権利判定部２３による判定においては、権利発生中と判定される。このため、ステップＳ１３において、大入賞口開閉制御部３１による大入賞口１４の開放処理が実行される。これは、例えば大入賞口１４が１０秒開放状態とされるか、大入賞口１４に遊技球が１０個入賞するまで開放状態とされる。
【００２６】
権利発生状態において大入賞口開放用始動口１２ｄへの振り分けが実施される場合、即ち権利消化が断続的に発生する場合において、図柄の変動時間と回転部１２ｅの回転時間とを足した時間は１回の大入賞口１４の開放時間に対して適切に定められているものとする。即ち、権利消化状態が断続的に継続している状態においては権利消化がスムーズに行われるほうが良いが、大入賞口１４が開放しているにもかかわらず次の権利消化が行使されてしまうと全くの無駄になってしまうため、早すぎても駄目である。逆に長すぎても次の権利消化までの発射球は無駄球となり、非効率となる。よって、図柄の変動時間と回転部１２ｅの回転時間とを足した時間は１回の大入賞口１４の開放時間に対して、極僅か長めに設定することが望ましい。
【００２７】
この権利発生中のステップＳ１１〜Ｓ１３の大入賞口入賞処理は、権利が消化されるまで実行される。例えば、１６ラウンド（１回の大入賞口開放を１ラウンドと呼ぶ）実行される。この実行後、権利が消滅して通常状態に戻る。通常に戻るとステップＳ１１，Ｓ１２を繰り返し、ステップＳ１３は次回権利発生まで実行されることはない。なお、図５と図６の制御は、独立に処理されるが、上記説明のように、図５における処理の結果として権利状態が制御されるが、図６の処理は、その結果に応じたものとなる。
【００２８】
このような本実施の形態のパチンコ機によれば、遊技球を導入する少なくとも１つの入口を形成し、この入口に遊技球の通過を検出する通過センサ１２ｂを設け、入口よりも下方位置に、遊技球が通過した際に大当たりの権利を発生及び消滅の何れか一方の状態とするための特定入賞口１２ｃと、権利の発生状態に遊技球が通過した際に大入賞口１４を予め定められた条件に応じて開放させるための大入賞口開放用始動口１２ｄとを設け、また、入口から入った遊技球を凹部１２ｆで保持して特定入賞口１２ｃ及び大入賞口開放用始動口１２ｄの何れか一方へ回転しながら案内して入賞させる回転部１２ｅを設けた振分装置１２を、遊技盤１１の略中央部に配置した。
【００２９】
そして、通過センサ１２ｂで遊技球の通過が検出された際に抽選部２５で抽選が行われるようにし、権利非発生中にその抽選が当たった場合は、回転制御部３３で回転部１２ｅを時計回りに回転させて凹部１２ｆの遊技球を特定入賞口１２ｃへ案内し、権利非発生中に抽選が外れた場合は、回転部１２ｅを反時計回りに回転させて凹部１２ｆの遊技球を大入賞口開放用始動口１２ｄへ案内するようにした。
【００３０】
つまり、１つの入口から入った遊技球を、通過センサ１２ｂの検出結果に応じて特定入賞口１２ｃ又は大入賞口開放用始動口１２ｄの何れかに入賞させることが可能なように構成されているので、遊技者は権利非発生状態や権利発生状態に係わらず、１つの入口を狙って打てばよい。即ち、従来のように、各々が離れて配設された特定入賞口及び始動口の何れかに、球を狙い打ちするといった特定の遊技方法を遊技者に強いることがなくなる。また、特定入賞口１２ｃと大入賞口開放用始動口１２ｄとが一体に構成されているので、別体に構成した場合よりも製造コストを安価とすることができ、更に盤面上の構成がシンプルとなるので遊技者に遊技が理解し易くなる。
【００３１】
従って、遊技者の不満を無くし、これによって遊技者のパチンコ遊技本来の満足感が満たされ、パチンコホールに利益をもたらすことができる。
なお、上述では第３種と定義しているが、説明のためだけであって、遊技機規則上の第３種にのみ限定されるものではない。特定入賞口への入賞で権利発生状態（大当たり状態）となり、権利発生状態において始動口への入賞を検出した場合に、その他の入賞口（大入賞口等）を開放するものであれば、全て該当する。更には、特定入賞口及び始動口は、入賞口に限定されるものではなく、通過ゲートでもよい。即ち、振り分け後の通過が検出できれば何でも良い。
【図面の簡単な説明】
【００３２】
【図１】本発明の実施の形態に係るパチンコ機の遊技盤の構成を示す正面図である。
【図２】上記実施の形態に係るパチンコ機の振分装置の動作を説明するための図であり、（ａ）は通過センサの入口から入った遊技球が凹部に保持される状態を示し、（ｂ）は凹部に保持された遊技球が特定入賞口へ入賞する状態を示し、（ｃ）は凹部に保持された遊技球が大入賞口開放用始動口へ入賞する状態を示す図である。
【図３】上記振分装置の通過センサの入口に電動チューリップを設けた構成を示す図である。
【図４】上記実施の形態に係るパチンコ機の遊技制御のための構成要素を示すブロック図である。
【図５】上記実施の形態に係るパチンコ機による遊技球の振り分け処理の動作を説明するためのフローチャートである。
【図６】上記実施の形態に係るパチンコ機による大入賞口への入賞処理の動作を説明するためのフローチャートである。
【図７】従来のパチンコ機を説明するための正面図である。
【図８】従来の他のパチンコ機を説明するための斜視図である。
【符号の説明】
【００３３】
１１  遊技盤
１２  振分装置
１２ａ  枠体
１２ｂ  通過センサ
１２ｃ  特定入賞口
１２ｃ１  特定入賞口センサ
１２ｄ  大入賞口開放用始動口
１２ｄ１  大入賞口開放用始動口センサ
１２ｅ  回転部
１２ｆ  凹部
１２ｇ  振分装置のステッピングモータ
１２ｈ  振分装置の原点センサ
１２ｉ  電動チューリップ
１３  図柄表示装置
１４  大入賞口
１４ａ  大入賞口入賞センサ
１４ｂ  大入賞口ソレノイド
１６  遊技制御部
２１  センサ検出状態判定部
２３  権利判定部
２５  抽選部
２７  抽選結果判定部
２９  表示制御部
３１  大入賞口開閉制御部
３３  回転制御部
【図１】
2005185772.tif 000003
【図２】
2005185772.tif 000004
【図３】
2005185772.tif 000005
【図４】
2005185772.tif 000006
【図５】
2005185772.tif 000007
【図６】
2005185772.tif 000008
【図７】
2005185772.tif 000009
【図８】
2005185772.tif 000010